Podtech/llm-jp-corpus-v4-ja_patent huggingface dataset:
(57)【要約】      （修正有）【課題】高速道路等の排水溝からの小動物の侵入を防ぎ、道路側から出てくる落ち葉などは外部に排出するような仕掛けを提供する。【解決手段】溝の底までの長さより少し長めの軽い仕切り板１を、排水溝２の両縁に跨って差し渡してある軸３に吊り下げて、溝の中に斜めに設置しておく。排水溝を伝わって高速道路に侵入してくる小動物を阻止できるし、溜まる落ち葉等も降雨時の排水に伴って排出できるので、道路交通の安全に対して効果がある。【選択図】図１
0003164877.tif 000002
【実用新案登録請求の範囲】
【請求項１】
排水溝を伝わって侵入する小動物の侵入を阻止するための仕切板で、厚さ３ｃｍほど、幅３０〜５０ｃｍで、長さは溝の深さより少し長い４０〜７０ｃｍの大きさで、上部には吊り下げ用の軸を通すための、パイプを取り付け、そのパイプに通した軸を中心に仕切板は水の流れに従って回動できることを特徴とする可動式排水溝仕切板。
【請求項２】
芯材は発泡プラスチックを使用し、全体の表面を丈夫な樹脂でコートしたことを特徴とする請求項１記載の可動式排水溝仕切板。
【請求項３】
軸の両端にＬ字形の止め金具を取り付け、軸を溝に差し渡してＬ字形の止め金具を溝の両側の縁に掛けて固定して使用することを特徴とする請求項１記載の可動式排水溝仕切板。
【請求項４】
軸の両端にコの字形の金具を取り付け、軸を溝に差し渡してコの字形の金具を溝の両側の縁に嵌めて固定して使用することを特徴とする請求項１記載の可動式排水溝仕切板。
【考案の詳細な説明】
【技術分野】
【０００１】  高速道路等の排水溝の中に設置して、小動物の侵入を防ぐ部材に関する。
【背景技術】
【０００２】  高速道路への動物の侵入は大事故に繋がる恐れがあるために、様々な侵入防止策がとられている。鹿などの大型動物に対しては道路脇に高いフェンスを張って侵入を防ぐことができる。小動物はフェンスの下からくぐって入り込むので、フェンスの下に地面まで届くように金網等を垂らして防いでいる。【０００３】  しかるに道路側から外部に出ている排水溝の底までは金網等は届かないので、小動物は排水溝の底を通って侵入してくる。しかし溝を通っての侵入を防ぐために溝の底に何らかの障害物を置くと、小動物は入って来なくなるが、落ち葉などがそれに引っかかり、通水阻害を発生させるため、定期的に落ち葉を取り除くなどの維持点検作業が新たに発生する。
【考案の開示】
【考案が解決しようとする課題】
【０００４】  小動物の外からの侵入は防ぐが、道路側から出てくる落ち葉などは、自然に外部に排出されるような仕掛けが待ち望まれていた。
【課題を解決するための手段】
【０００５】  本考案は上記問題に鑑みてなされたものであり、溝の底までの深さより少し長めの軽い仕切り板を、排水溝の両縁に跨って差し渡してある軸に吊り下げて、溝の中に斜めに設置しておく。
【考案の効果】
【０００６】  上記考案によれば、排水溝を伝わって高速道路に侵入してくる小動物を阻止できるし、溜まる落ち葉等も降雨時の排水に伴って排出できるので、道路交通の安全に対して効果がある。
【考案を実施するための最良の形態】
【０００７】  排水溝に設置する仕切板で、幅は溝の内幅より若干小さく、長さは溝の深さより少し長めの大きさで、芯材は３ｃｍ程の厚さの発泡プラスチック板を使用し、上部には吊り下げ用の軸を通すための、幅全体にわたるパイプを取り付け、全体の表面を丈夫な樹脂でコートする。【０００８】  パイプに通した軸を中心に自由に回動することができるようにしてあり、軸の両端にＬ字形の金具を取り付け、軸を溝に差し渡してＬ字形の金具を溝の両側の縁に掛けて固定して使用するようにしておく。【０００９】  その仕切板の下端は溝の底に達し、仕切板の長さが溝の深さより長いので仕切板は溝の底に対して一定の傾斜を持つことができる。
【実施例】
【００１０】  図１は本考案の可動式排水溝仕切板の実施態様を示す概念の斜視図で、仕切板１が溝２の中に設置されている状況を示している。溝は内幅４５ｃｍ、深さ４５ｃｍあり、この図の手前が外側で、排水は手前に向かって流れてくる。【００１１】  仕切板１は図２に示してあるような形をしており、芯材は発泡ポリスチレンを使用し、幅３７ｃｍ、高さ５０ｃｍであり、上部には長さ３１ｃｍの塩ビパイプが取り付けてあり、その中に軸を通すようになっている。全体は厚さ２ｍｍほどの丈夫なウレタン樹脂で被覆してあり、表面は滑らかである。【００１２】  パイプに通してある、仕切板を吊り下げるための軸３は、長さ４２ｃｍ、外径１２ｍｍの両端にネジの切ってある鉄棒を使用している。軸の両端は溝の縁に掛けて固定してあるＬ字形の止め金具４に差し込んであり、仕切板は軸３を中心に、水の流れに従って回動できるようになっている。【００１３】  仕切板の高さは５０ｃｍで、溝の深さより長いので、溝に入れた時は図１に示すように、溝の底から見て、排水溝が急勾配でも機能するような傾斜角を持って収まっている。
【産業上の利用可能性】
【００１４】  以上説明したように、本考案の可動式排水溝仕切板によれば、溝を通っての小動物の侵入を防ぐことができ、水の無いとき内側に落ち葉等が溜まっても、降雨時に水が流れるときは、水が仕切板を押し上げて落ち葉を外に排出できる。
【図面の簡単な説明】
【００１５】
【図１】実施態様を示す概念の斜視図
【図２】仕切板の形を示す正面図
【符号の説明】
【００１６】１  仕切板
２  排水溝
３  軸
４  止め金具
【図１】
0003164877.tif 000003
【図２】
0003164877.tif 000004
(57)【要約】      （修正有）【課題】使用時の景況に視覚的変化を与えることができる機構を持つ樹脂製クリップホルダーを提供する。【解決手段】樹脂製クリップホルダー内に液体３を充填できる構造とし、充填された液体中に、磁石を内包した浮子４を入れる。浮子は磁石を樹脂板で挟みこみ周囲を溶着し、磁石が液体に直接接触しない構造とする。この構造により浮子は充填された液体内を移動できるものとなり、クリップの接近があると液体内を移動し、外面の樹脂板を挟んでクリップホルダーに吸着する。浮動可能な磁石を液体内に配置することにより磁石が動いたときに視覚的変化を得ることができる。【選択図】図１
0003164875.tif 000002
【実用新案登録請求の範囲】
【請求項１】
複数枚の樹脂板の間に着色された液体及び浮動可能な磁石を入れ、周囲を溶着した樹脂製クリップホルダーであり、浮動可能な磁石の動きによって視覚的変化を与える構造を持つクリップホルダー。
【考案の詳細な説明】
【技術分野】
【０００１】本考案は複数枚の樹脂板の間に液体及び、樹脂版に挟み周囲を溶着した磁石を封入し、周囲を溶着した樹脂製クリップホルダーに関するものである。
【背景技術】
【０００２】家庭や企業、店舗等で紙片をとじる金属製クリップの簡易な保存および取出のために磁石でこれを保持するクリップホルダーが使用されていた。
【考案の概要】
【考案が解決しようとする課題】
【０００３】従来のクリップホルダーは成型された樹脂などの基礎部分内部あるいは表面に磁石を埋め込みその磁力をもってクリップを吸着している。この磁石が固定されているものに関しては装飾性を持たせるためには素材や形状によりこれを行う。磁石および磁石を内包する部品を可動式としているものの場合、何らかの機能を実現するために可動としており、装飾性の向上に寄与していない場合がある。【０００４】これらクリップホルダーにあっては專らそれ自身の形状の変化によってその新規性および独自性を主張するものである。クリップを保持する磁石が製品のデザインの一部として積極的に利用されていない場合があった。【０００５】そこで、クリップの吸着に用いる磁石を樹脂板間に封入し、液体が封入されたクリップホルダー本体内における浮子とする。この浮子の動きにより視覚的変化を得る事ができる。また、浮子及びクリップホルダーに印刷を施すことによりその効果をより増すことができる。
【課題を解決するための手段】
【０００６】上述の様に、本考案は、樹脂製クリップホルダー内に液体を充填できる構造とし、充填された液体中に、磁石を内包した浮子を入れる。浮子は磁石を樹脂板で挟みこみ周囲を溶着し、磁石が液体に直接接触しない構造とする。この構造により浮子は充填された液体内を移動できるものとなり、クリップの接近があると液体内を移動し、外面の樹脂板を挟んでクリップホルダーに吸着する。
【図面の簡単な説明】
【０００７】
【図１】本考案の複数枚の樹脂板の間に着色された液体及び樹脂板の間に磁石を入れた浮子を入れ、周囲を溶着した樹脂製クリップホルダーの正面図である。
【図２】複数枚の樹脂板で液体及び浮子を封じ込め、本考案品を作成する様子である。
【考案を実施するための形態】
【０００８】樹脂板の間に液体および樹脂板の間に磁石を挟み周囲を溶着した浮子を封入したのち、周囲を溶着したものである。
【実施例】
【０００９】以下、添付図面に従って一実施例を説明する。１と２は樹脂板、３は透明あるいは着色された液体、４は浮子、４ａ、４ｂは透明または半透明の樹脂板、４ｃは磁石である。４ａ、４ｂにて４ｃをはさみ周囲を溶着し４とし、１と２の間に３と４を挟んで周囲を溶着する。
【符号の説明】
【００１０】１    透明または半透明な樹脂板
２    透明または半透明な樹脂板
３    液体
４    浮子
４ａ  透明または半透明な樹脂板
４ｂ  透明または半透明な樹脂板
４ｃ  磁石
【図１】
0003164875.tif 000003
【図２】
0003164875.tif 000004
(57)【要約】      （修正有）【課題】ジーンズ等のパンツ類の裾をロールアップしたとき、裾がずり落ちてきて不快な思いをせず、また、ビンテージもののジーンズなどの裾を切ることなく、オシャレに着こなせる裾上げ用アクセサリーを提供する。【解決手段】長い針に装飾部を付け、針頭部と針留め金具とを鎖で繋ぎ合わせる。【選択図】図３
0003164876.tif 000002
【実用新案登録請求の範囲】
【請求項１】
長い針に装飾部を付け、針頭部と針留め金具とを鎖などで繋ぎ合わせたことを特徴とするジーンズの裾上げ用アクセサリー。
【考案の詳細な説明】
【技術分野】
【０００１】  本考案は、ジーンズ等のパンツ類の裾をロールアップしたとき、裾がずり落ちてこないように簡便に留めることができ、しかもおしゃれになるジーンズの裾上げ用アクセサリーに関するものである。
【背景技術】
【０００２】  従来、庭に水をまいたり、お風呂の掃除などの水仕事をしているときに、パンツの裾を折り曲げて上げていたが、次第にずり落ちてきて不快な思いをすることが多くあった。
【考案の概要】
【考案が解決しようとする課題】
【０００３】  ジーンズ等のパンツ類の裾をロールアップして留めることが可能なものとして、安全ピンは手軽だが美的でない。ブローチは運動量の多い足につけるには安全性・利便性において不向きであり、かつ、通常同じデザインのブローチは２個同時に販売されていないため一対で利用しにくい。本考案は以上の問題点を解決するためになされたものである。
【課題を解決するための手段】
【０００４】  長い針に装飾部を付け、針頭部と針留め金具とを鎖などで繋ぎ合わせる。以上のように構成されたジーンズの裾上げ用アクセサリーである。
【考案の効果】
【０００５】  本考案のパンツ類の裾留めを使用することによって、水仕事など家事をしているときにパンツ類の裾がずり落ちて不快な思いをすることが無くなる。針頭部と針留め金具を鎖などで繋ぎ合わせることにより、部品の紛失を防ぐことができるだけでなく、華やかさを増すことができる。また、裾が長すぎるからといってビンテージもののパンツの裾を切ることなく、オシャレにロールアップして留めて使用出来る利点もある。  本考案は、特に、若い人には実用品としてより、多種多様な素材とデザインによって、ジーンズ類の裾に付ける新しいオシャレなアクセサリーとして受け容れられると見込まれる。
【図面の簡単な説明】
【０００６】
【図１】本考案の正面図
【図２】本考案の実施前を示す正面図
【図３】本考案の実施後を示す正面図
【考案を実施するための形態】
【０００７】  以下、本考案の実施形態を説明する。長い針（１）に装飾部（８）を付け、針頭部（２）と針留め金具（４）とを鎖（７）などで繋ぎ合わせる。以上のように構成されたジーンズの裾上げ用アクセサリーである。
【実施例】
【０００８】  本考案は、以上のような構成であり、これを実際に使用するときは、ロールアップしたジーンズ（９）の左足側面のポイントＡ（５）に、装飾部（８）を付けた針（１）を刺し、重なった布をすくってロールアップしたジーンズ（９）のポイントＢ（６）に出して、針頭部（２）と鎖（７）で繋ぎ合わせた針留め金具（４）に針先（３）を装着する。  本考案を使用することにより、ロールアップしたジーンズの裾がずり落ちてきて、不快な思いをすることが無くなり、かつ、オシャレに着こなすことができる。右足側面も同様に使用する。同じ型のもの２個で一対にして使用できる。
【符号の説明】
【０００９】１  針２  針頭部３  針先４  針留め金具５  ポイントＡ６  ポイントＢ７  鎖８  装飾部９  ロールアップしたジーンズ
【図１】
0003164876.tif 000003
【図２】
0003164876.tif 000004
【図３】
0003164876.tif 000005
(57)【要約】      （修正有）【課題】バッグなどをその上に載せ、現金や書類を出し入れする時、忘れ物が生じないような物置台を提供する。【解決手段】カウンターの前にかばんなどを載せる台を、マジックテープ（登録商標）で固定する。【選択図】図１
0003164872.tif 000002
【実用新案登録請求の範囲】
【請求項１】
カウンターの前にカバンなどを載せる台をマジックテープ（登録商標）などで取り付けて忘れ物を防止する物置台。
【考案の詳細な説明】
【技術分野】
【０００１】  カウンターの前にハンドバッグやカバンを載せて、通帳、印鑑、カード、書類等を出し入れするための物置台であるが、忘れ物をしないために、マジックテープ（登録商標）を用いて固定したことにより、物を載せると不安定に感じ、意識がカバンに集中することで忘れ物がなくなる物置台。
【背景技術】
【０００２】  カウンターで作業するにあたり、今まではハンドバッグやカバンを置く台がカウンターの正面に無かった。（写真１）物置台があれば便利になることは分かっていたが設置しなかった。その理由は、バッグやカバンを忘れて帰ってしまった時、物置台があるから物を載せてしまい、そのため忘れたのだと責任転嫁させられるためである。バッグなどを忘れたりした時のトラブルを防止し、もし忘れ物があったとしてもユーザーの自己責任にしてもらうため、物置台を準備しなかった。
【先行技術文献】
【０００３】
【非特許文献】
【非特許文献】  「Ｔｈｅ  Ｂａｎｋ  Ｏｆｆｉｃｅ  ｏｆ  Ｃｏｎｔｅｍｐｏｒａｒｙ  Ｊａｐａｎ」、社団法人金融財政事情研究会発行、平成６年１月２０日発行
【考案の概要】
【０００４】  ユーザーの利便性を考えると、カウンターの前に物置台を置き、それにカバンなどを載せて、カバンを開けたままお金や書類を取り出して作業をして、作業が終了したらカバンを閉じれば、安全で、かつ、事故が少なくなる。カバンや書類などを忘れずに持って帰ってもらうために、物置台はカバンなどがはみ出るように小さくし、わざと不安定にして、ユーザーの体（腹）でカバンを押さえながら作業する大きさにする。と同時に、マジックテープ（登録商標）でカウンターの作業台本体と物置台を固定する。マジックテープ（登録商標）で留めているため力を入れると多少動くので、カバンに神経が集中し、忘れ物防止につながる。カウンターのメンテナンスをする時は、マジックテープ（登録商標）であるため簡単に着脱ができ、物置台を動かしてカウンターの前面パネルをはずして、終ったら元に戻してマジックテープ（登録商標）で留める。飛行場も自動搭乗券売機の全面パネルに固定式物置台（写真２）が付いているが、しっかり券売機と一体になっているため、無意識にカバンを載せ、忘れ物が発生した事例がある。
【考案が解決しようとする課題】
【０００５】  カウンターを利用する際、お金や通帳やカードなどの貴重品を安全に保護し、かつ、カウンターでの作業がしやすく、短時間で安全に作業するための物置台をつくるためのネックは、忘れ物が生じた時にどのような対応をするかであった。したがって、忘れ物ができないような物置台を考えることが必要であった。
【課題を解決するための手段】
【０００６】  忘れ物をしないためには、物を置くと不安定に感じられ、物を置いたということを印象付けることによって忘れ物を防止することである。そのために、物置台を小さくし、かつ、不安定に感じさせるために、固定をビスなどで行わず、力を入れると多少ずれが生じるマジックテープ（登録商標）で行うことにした。
【考案の効果】
【０００７】  カウンターの前の物置台は大変便利であり、かつ、作業時間が短縮される。かつ、忘れ物がなくなったり忘れ物をしないということになる。
【図面の簡単な説明】
【０００８】
【図１】  斜視図  １１ａは物を載せる部分である。１２ａ及び１２ｂはハンギングステーであるが、この１２ａ、１２ｂにマジックテープ（登録商標）を付けカウンターとジョイントする。１３ａ及び１３ｂは、カウンターに付けたマジックテープ（登録商標）である。１１ａのテーブルトップの大きさは、ハンドバッグやカバンがはみ出す大きさである必要があり、カウンターの邪魔にならないように奥行きが２０ｃｍ以下、幅が６０ｃｍ以下にする。
【考案を実施するための形態】
【０００９】  図１をカウンターの前に吊るして、位置を決めてマジックテープ（登録商標）の凸をカウンターに取り付け（１３ａ、１３ｂ）、物置台のハンギングステー１２ａ、１２ｂに取り付けているマジックテープ（登録商標）の凹に合わせて設置する。カウンターのメンテナンスがある場合は、マジックテープ（登録商標）をはずして物置台本体を移動させて、カウンターのパネルをはずして行う。
【符号の説明】
【００１０】  １１ａ            テーブルトップ
１２ａ・１２ｂ    ハンギングステー及びマジックテープ（登録商標）装着部
１３ａ・１３ｂ    カウンター本体にマジックテープ（登録商標）を取り付ける部分
【図１】
0003164872.tif 000003
(57)【要約】      （修正有）【課題】農業用の歩行型管理機で均等な畝立てを行うために使用し、ヒッチ部分の遊び（ガタ）を利用してアーム部分を自動的に上下できる構造の畝立補助用具を提供する。【解決手段】本体４にアーム５をピン８で取り付け、可倒式とし、管理機のハンドル１から滑車１０を吊り下げる。本体４または培土器３から滑車９を介しアーム５にチェーン６をつなぐ。【選択図】図２
0003164860.tif 000002
【実用新案登録請求の範囲】
【請求項１】
（イ）本体４に  アーム５を  ピン８で取り付け、可倒式とする。
（ロ）管理機のハンドル１から滑車１０を吊り下げる。
（ハ）本体４または培土器３から滑車９を介しアーム５にチェーン６をつなぐ。
以上の構成からなる畝立補助具。
【考案の詳細な説明】
【技術分野】
【０００１】農業用の歩行用管理機で畝立作業をする場合、均等でスムーズな畝立て作業ができるようにした補助用具である。
【背景技術】
【０００２】従来、歩行用管理機で畝立作業を行う場合  畝幅の設定は、ほとんど作業者の経験と勘に頼って行われていた。
均等な畝立を行うために目印をつけるマーカーが必要となるが、構造上横に張り出しており、旋回する場合や畑の隅などで畑面や周りの障害物に引っ掛かり、作業がしづらいという難点があった。
【考案の開示】
【考案が解決しようとする課題】
【０００３】アームの部分が折りたためる構造のマーカーであっても、旋回の度に手動でたたまなければならないという煩わしさがあった。
本考案は、このような難点を解消するためになされたものである。
【課題を解決するための手段】
【０００４】管理機のヒッチ部２に生じるわずかな遊び（ガタ）の動きを増幅するために滑車とテコの構造を利用した。
本機は本体４、本体にピン８で支持されたアーム５、管理機のハンドル１からターンバックル９を介して吊り下げられた滑車１０、本体４から滑車１０を介してアーム５に繋がれたチェーン６と手動用のワイヤー７などによって構成する。
管理機の旋回時にハンドル１を持ち上げるとターンバックル９と滑車１０が相対的に上に引き上げられる事になる。その動きを利用してアーム５がチェーン６によって引き上げられる構造である。
【考案の効果】
【０００５】従来、作業者の経験と勘に頼っていた畝立作業が  経験の浅い人にも簡単にきれいにできるようになった。
難点であった旋回時の取りまわしも、アームが跳ね上がる事によりスムーズな旋回ができるようになった。
【実施例】
【０００６】図２・図３の様にアーム５を左右に張り出し、その先端部で圃場の土面に線を引いて畝幅の目印にする構造とした。
アーム５はピン８によって支持され、ロープ・ワイヤー等７を引く事により手動で上方に折りたたむことができる。図５
また、旋回時に管理機のハンドル１を持ち上げる事により、ヒッチ部２の遊び（ガタ）のため  培土器３が若干下がる。その力を利用して、ハンドルからターンバックル９で吊り下げられた滑車１０を介したチェーン６によってアーム５が引き上げられる。図４
次の畝に移動し、管理機のハンドル１を下げると培土器３が持ち上がり、アーム５の先端が下がって、連続作業を容易にする。
【図面の簡単な説明】
【０００７】
【図１】管理機の側面図
【図２】管理機の斜視図
【図３】本考案の作動図
【図４】本考案の作動図
【図５】本考案の作動図
【符号の説明】
【０００８】  １      管理機のハンドル
２      管理機のヒッチ部
３      培土器
４      本考案の本体取り付け部
５      アーム
６      チェーン
７      ワイヤー、ロープ等
８      ピン
９      ターンバックル
１０      滑車
【図１】
0003164860.tif 000003
【図２】
0003164860.tif 000004
【図３】
0003164860.tif 000005
【図４】
0003164860.tif 000006
【図５】
0003164860.tif 000007
(57)【要約】      （修正有）【課題】膝や踵、足趾への負荷を軽減する調整パッドを底部の明記された所定の貼り付け位置に貼ることにより、足から膝への負荷を軽減するメディカルインソールを提供する。【解決手段】本メディカルインソール１０は薄く素材の柔軟性を活かした立体構造で、あらゆる靴にも適合する。また各人の症状に応じて調整パッド２０１ａ〜２０１ｅを底部１０１の明記された所定の位置に貼り付ける事により膝や踵、足趾への負荷を軽減することが可能となる。【選択図】図３
0003164854.tif 000002
【実用新案登録請求の範囲】
【請求項１】
膝や踵、足趾への負荷を軽減する調整パッドの貼り付け位置を底部に明記したメディカルインソール。
【請求項２】
膝や踵、足趾などの症状に対応する調整パッドを所定の位置に貼り付け、足から膝への負荷を軽減するメディカルインソール。
【考案の詳細な説明】
【技術分野】
【０００１】  本考案は、膝や踵、足趾への負荷を軽減する調整パッドを底部の所定の位置に貼り付ける事により、足から膝への負荷を軽減するメディカルインソールに関する。
【背景技術】
【０００２】  人間は２本足で歩行するため足、骨盤、脊柱に大きな負担をかけて生活し、一般的に約８０％の人が足に何らかの障害を持っていると言われている。
足に体重がかかった時、その圧力は足の軟部組織に作用する。足圧の負荷が極限を越えたとき足底の皮膚の摩滅（タコ、ウオノメ）、足底筋膜炎、関節炎、捻挫などが生じる。足底には一般に３つのアーチ（内側の縦アーチ、外側の縦アーチと横アーチ）があり、これらのアーチは静止時や歩行時に体重を支え、足に掛かるショックを吸収し、膝や腰への衝撃を守るためのバネの役割をしている。
これらのアーチ構造が崩れたとき、足に大きな負担を掛ける。即ち足の内側の縦アーチが上がりすぎた足をハイアーチ、崩れて低下した足を偏平足と言う。
一般的には、これらのアーチの構造が崩れ何らかの症状が現れたとき、市販のアーチサポートインソールを購入したり、整形外科医師や専門の技師によってオーダーメイドインソールを製作してもらい、足の疲れや痛みを軽減している。
【考案の開示】
【考案が解決しようとする課題】
【０００３】  市販のアーチサポートインソールの場合、クッション性や抗菌性を重視して作られており、足の骨格を矯正して足のトラブルに対応した治療効果を高める役割を果たせるのは整形外科医師や専門の技師によるオーダーメイドインソールに限られていた。
そのため価格は高額にならざるを得ず、足に様々なトラブルを抱える多くの人々に普及するには至らなかった。
【課題を解決するための手段】
【０００４】  本考案は、素材の柔軟性を活かして足底の筋肉の働きを補足し、本来保有している骨格を立体的に支え、足の機能を最大限に生かす立体構造になっており、薄く柔軟性が有るため、あらゆる靴に適合しスポーツシューズからパンプスまで使用出来る。また各人の症状に応じて５種類の調整用パッドを底部の所定位置に貼り付けることにより、膝や踵、足趾への負荷を軽減する事が可能となる。
【考案の効果】
【０００５】  本考案は上記の課題を解決するものであり、足の骨格を正しく支え、最も大切な役割である足裏の３つのアーチを復元するため、足裏の３つのアーチの崩れにより身体に歪みを生じさせ、全身に様々なトラブルを発生させる原因を作る足の３つのアーチや踵をしっかりと保持し、インソール本来の素材のしなりにより、歩行時に足から伝わる地面の衝撃を和らげるクッション機能と、足裏から全身への血液の循環を促進するポンプ機能を果たす。
【考案を実施するための最良の形態】
【０００６】  以下、添付図面を参照して本考案の好適な実施の形態を詳細に説明する。尚下記の実施例は本考案の好適な実施例を示したに過ぎず、本考案の技術的範囲は、下記実施例そのものに何ら限定されるものではない。【０００７】  図１、２は、本考案のメディカルインソールの立体図および底部（１０１）の図であり、さらに、それぞれの足の症状に応じて負荷を軽減する調整パッドの貼り付け位置（１０１ａ，  １０１ｂ，１０１ｃ，  １０１ｄ  ）が示されている。図３は、メディカルインソール（１０）の底部（１０１）の貼り付け位置に貼り付ける調整パッド（２０１ａ，２０１ｂ，２０１ｃ，２０１ｄ，２０１ｅ）を表している。
なお本考案のメディカルインソールを形成する素材は柔軟性と弾力性に優れているナイロン素材を使用し、調整パッドは長期使用での耐圧、復元性に優れた高密度のポリウレタンからなる。
【実施例１】
【０００８】  外反母趾の症状があり母趾の骨頭や第一中足骨の辺りにタコが出来たり、痛みを感じている症状の方に対しては、（１０１ｃ）の位置に（２０１ｃ）の調整パッドを貼ることで母趾側への負荷を軽減さす事が出来た。
【実施例２】
【０００９】  内反小趾の症状があり小趾の骨頭や第５中足骨の辺りにタコが出来たり、痛みを感じている症状の方に対しては（１０１ｄ）の位置に（２０１ｄ）の調整パッドを貼ることで小趾側への負荷を軽減さす事が出来た。
【実施例３】
【００１０】  膝がＯ脚気味で膝の内側に痛みを感じている症状の方に対しては（１０１ｂ）の位置に（２０１ｂ）のパッドを貼り付ける事により身体の重心位置を膝の中央に引き寄せる事で膝の内側への負荷を軽減さす事が出来た。
【実施例４】
【００１１】  膝がＸ脚気味で膝の外側に痛みを感じている症状の方に対しては（１０１ａ）の位置に（２０１ａ）のパッドを貼り付ける事により身体の重心位置を膝の中央に引き寄せる事で膝の外側への負荷を軽減させる事が出来た。
【実施例５】
【００１２】  踵骨棘が有り、歩くと踵が痛む方や長時間立ち仕事をしていて踵が痛む患者に対しては（１０３）の位置に（２０１ｅ）のパッドを貼り付ける事により踵への衝撃を吸収し、痛みを軽減さす事が出来た。
【図面の簡単な説明】
【００１３】
【図１】  メディカルインソールの立体図
【図２】  メディカルインソールの底部（調整パッドの貼り付け位置）
【図３】  メディカルインソールの底部（調整パッドの貼り付け位置および調整パッド）
【符号の説明】
【００１４】    １０      メディカルインソール
１０１    メディカルインソールの底部
１０２    メディカルインソールの表部
１０３    メディカルインソールのヒール基底部
１０１ａ，１０１ｂ，１０１ｃ，１０１ｄ    調整パッド貼り付け位置
２０１ａ，２０１ｂ，２０１ｃ，２０１ｄ，２０１ｅ    調整パッド
【図１】
0003164854.tif 000003
【図２】
0003164854.tif 000004
【図３】
0003164854.tif 000005
【手続補正書】
【提出日】平成22年10月1日(2010.10.1)
【手続補正２】
【補正対象書類名】実用新案登録請求の範囲
【補正対象項目名】全文
【補正方法】変更
【補正の内容】
【実用新案登録請求の範囲】
【請求項１】
膝や踵，足趾への負荷を軽減する調整用パッドの貼り付けられるべき位置をインソールの裏面に標示したメディカルインソール。
【請求項２】
インソール裏面に標示された位置に調整用パッドを貼り付ける事により、足から膝への負荷を軽減さすことを特徴とする請求項１記載のメディカルインソール。
(57)【要約】      （修正有）【課題】硬貨を一定枚数に計数、仕分けする携帯型の硬貨計数仕分け器具を提供する。【解決手段】２本の独立した丸パイプをパイプの管長方向に上下に重ね、下側の丸パイプを上側の丸パイプに対して水平方向に滑動させる。下側の丸パイプの滑動支持面、下側丸パイプ下部の底面形成、上側の丸パイプの固定支持のために、外側にカバーを有する。下側の丸パイプの滑動方向と反対側に押し棒を取り付けて、上側の丸パイプ内に残った硬貨を一時的に、下側の丸パイプ内に落下防止させる。【選択図】図４
0003164855.tif 000002
【実用新案登録請求の範囲】
【請求項１】
硬貨を計数仕分けする目的のための構造として、２本の独立した丸パイプをパイプの延長方向に継いで、重ねた構造で、作動として、ほぼ垂直に立てた状態から、この２本のパイプの内部に硬貨を上から投入してから、下側の丸パイプを側面方向に滑動させることによって、パイプの内径面が、ずれることにより、下側の丸パイプの長さに応じた厚さとなる枚数の硬貨を、計数すると同時に、落下させて枚数仕分けのできる硬貨計数仕分け器具。
尚、硬貨に類した形状の円板にも、適用可能である。
【請求項２】
請求項１に関連して、下側の丸パイプの滑動支持面、下側丸パイプ下部の底面形成、上側の丸パイプの固定支持のために、外側にカバーを有すること。
【請求項３】
請求項１に関連して、下側の丸パイプの滑動方向と、反対側に押し棒を取り付けて、上側の丸パイプ内に残った硬貨を一時的に、下側の丸パイプ内に落下防止させる構造。
【考案の詳細な説明】
【技術分野】
【０００１】  本考案は、一定枚数の硬貨を計数して、仕分けできる携帯型の器具に関するものである。
【背景技術】
【０００２】  従来から、硬貨の総金額計算あるいは、硬貨の種類毎に計数仕分けできる卓上型機器は広く出回っているが、一定枚数の硬貨を計数して、仕分けできる簡単な構造の携帯型器具が無かった。
【先行技術文献】
【特許文献】
【０００３】
【非特許文献】
【０００４】
【考案の概要】
【考案が解決しようとする課題】
【０００５】  本考案は、一定枚数の硬貨を計数、仕分けする携帯型器具の構造を提供するものである。
【課題を解決するための手段】
【０００６】  図１に基づき、構造の説明をする。
取り外し可能な蓋２を上部に有する丸パイプ１の下部に、丸パイプ１と分離された丸パイプ３が位置している。
丸パイプ１に接合された外側カバー４は底を有していて、丸パイプ３とは分離され、丸パイプ３を半円状態で包み込む形になっている。
丸パイプ３は棒５、押しボタン７と接合されているため、押しボタン７を押すことによって丸パイプ１に対して丸パイプ３を水平に滑動させることができる。
圧縮コイルバネ６によって、押しボタン７は、元の位置に復元する構造になっている。
次に図４に基づき、作動の説明をする。
蓋２をはずして、同種類の硬貨を丸パイプ１の内部に投入する。
蓋２を元の通り、取り付ける。
投入された硬貨アは、外側カバー４の底部から、垂直に積み重ねた状態となる。
押しボタン７を押すと、丸パイプ３の長さに応じた厚さになる枚数の硬貨が、イの位置にずれると同時に、重力によって、ウのように落下するので、硬貨を所定枚数に仕分けすることができる。丸パイプ１内の、残った硬貨は、棒５が障害物になるので、棒が元の状態に復元するまで、落下することなく保持される。
丸パイプ３の長さは、通常、１０進法の慣例によって、硬貨１０枚の厚さに設定して製作すると利用価値が高い。
【考案の効果】
【０００７】  本考案の活用の例として、数えるのに手間がかかるため、家庭に多く溜まりがちの一円硬貨をはじめとする小額硬貨を、支払い時に、たとえば１０枚単位に、すばやく仕分けすることが可能となる。
余った硬貨は、再び、丸パイプ１に再投入保管する。
携帯する他、家屋内または、自動車内に固定取り付けも容易である。
家庭内保管用の用途には、貯金箱として、丸パイプ１を長く製作すると便利である。
【図面の簡単な説明】
【０００８】
【図１】形態を示した正面図である。
【図２】Ｃ側面図である。
【図３】Ａ−Ｂ断面図である。
【図４】硬貨を投入、動作させた状態の正面図である。
【図５】硬貨を投入、動作させた状態のＡ−Ｂ断面図である。
【考案を実施するための形態】
【０００９】  図４のように、丸パイプ１に投入された硬貨アを、押しボタン７を押すことによって所定枚数の硬貨をイの状態に移動させると同時に、重力によって、硬貨がウのように落下するので、硬貨を所定枚数に仕分けすることができる。
【実施例】
【００１０】
【産業上の利用可能性】
【００１１】
【符号の説明】
【００１２】図１
１  硬貨を投入保管する丸パイプ
２  丸パイプ１の蓋
３  丸パイプ１と分離された丸パイプ
４  丸パイプ１に接合させた、底部を兼ねた外側カバー
５  丸パイプ３に接合された棒
６  圧縮コイルバネ
７  棒５に接合された押しボタン
図４
１  硬貨を投入保管する丸パイプ
２  丸パイプ１の蓋
３  丸パイプ１と分離された丸パイプ
４  丸パイプ１に接合させた、底部を兼ねた外側カバー
５  丸パイプ３に接合された棒
６  圧縮コイルバネ
７  棒５に接合された押しボタン
ア  投入された硬貨
イ  所定の数に仕分けされた硬貨の状態
ウ  仕分け数量で落下した硬貨の状態
【図１】
0003164855.tif 000003
【図２】
0003164855.tif 000004
【図３】
0003164855.tif 000005
【図４】
0003164855.tif 000006
【図５】
0003164855.tif 000007
【手続補正書】
【提出日】平成22年9月28日(2010.9.28)
【手続補正１】
【補正対象書類名】実用新案登録請求の範囲
【補正対象項目名】全文
【補正方法】変更
【補正の内容】
【実用新案登録請求の範囲】
【請求項１】
硬貨を計数仕分けする目的のための構造として、２本の独立した丸パイプをパイプの管長方向に上下に重ね、下側の丸パイプを上側の丸パイプに対して水平方向に滑動させる構造の硬貨計数仕分け器具。
【請求項２】
下側の丸パイプの滑動支持面、下側丸パイプ下部の底面形成、上側の丸パイプの固定支持のために、外側にカバーを有することを特徴とする請求項１に記載の硬貨計数仕分け器具。
【請求項３】
下側の丸パイプの滑動方向と、反対側に押し棒を取り付けて、上側の丸パイプ内に残った硬貨を一時的に、下側の丸パイプ内に落下防止させる構造を特徴とする請求項１に記載の硬貨計数仕分け器具。
【手続補正２】
【補正対象書類名】図面
【補正対象項目名】全図
【補正方法】変更
【補正の内容】
【図１】
0003164855.tif 000008
【図２】
0003164855.tif 000009
【図３】
0003164855.tif 000010
【図４】
0003164855.tif 000011
【図５】
0003164855.tif 000012
(57)【要約】      （修正有）【課題】保持クリップに嵌設して使用し、高価な附帯部材を用いずに、安価な糸を用いて枝を支えるための挟持具を提供する。【解決手段】二つの半円状の糸挟み部２が組み合わさって円形となるように、それぞれ一つの頂点が弾性を有する折り曲げ部４として折り曲げられて居り、糸挟み部２のそれぞれの直径の中心に半円状の切欠き部３を設け、糸挟み部２それぞれの円弧状の対称の位置にＴ型突起５を設ける。【選択図】図４
0003164851.tif 000002
【実用新案登録請求の範囲】
【請求項１】
適度な強度と弾性を有する合成樹脂材で成型された挟持具１は糸挟み部２、半円状部３と、開閉する折り曲げ部４とＴ型突起５から成る、枝を支える糸の挟持具。
【考案の詳細な説明】
【技術分野】
【０００１】  本考案は天然素材から成るやや太めの糸、例えば凧あげに使う撚の強い凧糸や紐などを使用して蔓性のトマト、キュウリ、ナス等の枝を支える糸の挟持具に関するものである。
【背景技術】
【０００２】  農園芸に於いてハウス栽培や露地栽培では栽培時、トマト、キュウリ、ナス等が果実の重みで、幹、茎などが倒れやすくなりそれを防ぐために図２に示すように市販品の保持クリップに糸ではなくステンレスパイプやナイロンの棒などで支えていることが知られている。
（特願平１１−２１８０８５公報参照）
【考案の概要】
【考案が解決しようとする課題】
【０００３】  上記、従来の市販品である保持クリップは確かに利便性は高いがそれに使用する附帯部材のステンレスパイプ、ナイロンの棒などは比較的高価であり、例えば一般的にトマトは１０アール（３００坪）当り約２，０００茎を栽培する故に、園芸生産者の資材費の負担が非常に大きくなる。本考案は以上のような資材費の負担を軽減するために全く新しい画期的な枝を支える糸の挟持具を提供することを課題とした。
【課題を解決するための手段】
【０００４】  本考案の糸の挟持具は市販されている保持クリップに係着し嵌設して使うものである。【０００５】  本考案に使用する糸は子供達が凧あげに使う市販品の凧糸にして、その凧糸は一般的に３本の糸で成る撚糸であり、太さと長さは多種にわたり長さが数１００メートルに及ぶものもある。又、材質によっては数年使用できる。【０００６】  凧糸は本考案の挟持具に挟んで使用するが、引張り強さは相当の強さがある。【０００７】  以上述べたようにステンレスパイプ、ナイロン棒等より非常に安価にして運搬の経費も節減できる。
【考案の効果】
【０００８】  本考案の糸の挟持具は一体成形で製造が可能であり、かなりのコストダウンができる。【０００９】  枝を支えるステンレスパイプ、ナイロンの棒などとは違い栽培時の後始末は糸なるが故に非常に簡単であり、糸を袋に収納するので嵩張らず置き場所も不用である。【００１０】  前記で述べたように本考案の園芸に要する資材費の節減はかなり大きい業績になる。
【図面の簡単な説明】
【００１１】
【図１】  本考案の実施例を示す説明図
【図２】  本考案の実施例を示す俯瞰図
【図３】  本考案の実施例を示す平面図
【図４】  本考案の平面図
【図５】  本考案の開口図
【図６】  本考案のＡ視側面図
【図７】  本考案のＢ視背面図
【考案を実施するための形態】
【００１２】  本考案の糸の挟持具１は適度な硬度と弾性を有する合成樹脂材を使用し、一体的に形成された成型品である。
【００１３】  図４に示すように挟持具１の大きさは市販品の保持クリップの既設の穴内部より若干大きく形成し、挟持具１を保持クリップに嵌設した時、押圧力がかかるようにした。
【００１４】  図５に示すように糸挟み部２を両側に設け、その連接部に半円状部３を両側に形成し挟持具１の中央部から曲がるように肉薄とした、弾性を有する折り曲げ部４を併設した。
【００１５】  折り曲げ部４は挟持具１が閉じた場合、適度な押圧力が発生し挟持した糸を押圧力で固定する。
【００１６】  糸挟み部２は、糸が先端に行くほど押圧力が強くなり、又、やや太い糸は半円状部３で挟持する。
【００１７】  図５、図７で示すようにＴ型突起５を挟持具１の背面側に２ヶ所形成し、市販品の保持クリップに既設された横孔にＴ型突起５を曲げるように差込みプラス（＋）状に係着すれば挟持具１は上下に移動しない。
【実施例】
【００１８】  図１に示すように屋内、屋外に枸らず、トマト、キュウリ、ナス等の蔓性の果菜類の栽培に当り、地面に所定間隔で立てた支柱間に横梁を懸架し梁に糸を巻きつけ固定して垂らし錨形杭に結び土中に杭を打込み糸を張架する。【００１９】  図２に示す如く、市販品の保持クリップに嵌設された糸の挟持具１を開口して糸を挟み、次に栽培植物の枝に市販品の保持クリップを緩装する。【００２０】  枝、茎が成長に応じて小茎の重量が若干下方向に掛かった時、又は、果実の重みで枝が傾き、さらに誘引作用が強くなった場合は糸を強く張り挟持具１を数ヶ所増設する。【００２１】  度々、折にふれて糸の張具合を点検し、弛みかかっていれば杭を打ち直し糸を張架する。
【符号の説明】
【００２２】  １  挟持具
２  挟み部
３  半円状部
４  折り曲げ部
５  Ｔ型突起
【図１】
0003164851.tif 000003
【図２】
0003164851.tif 000004
【図３】
0003164851.tif 000005
【図４】
0003164851.tif 000006
【図５】
0003164851.tif 000007
【図６】
0003164851.tif 000008
【図７】
0003164851.tif 000009
【手続補正書】
【提出日】平成22年9月28日(2010.9.28)
【手続補正１】
【補正対象書類名】実用新案登録請求の範囲
【補正対象項目名】全文
【補正方法】変更
【補正の内容】
【実用新案登録請求の範囲】
【請求項１】
二つの半円状の糸挟み部２が組み合わさって円形となるように、それぞれ一つの頂点が弾性を有する折り曲げ部４として折り曲げられて居り、糸挟み部２のそれぞれの直径の中心に半円状の切欠き部３を設け、糸挟み部２それぞれの円弧状の対称の位置にＴ型突起５を設けたことを特徴とする枝を支える糸の峡時具。
(57)【要約】      （修正有）【課題】カラス、猫等の散乱被害を防止し、簡単に組立、折畳み、移動ができる簡易折畳み式生ごみ収容容器を提供する。【解決手段】底板を組立時の四方の補強に用い、かつ、底板の後方兆番取付部を基点として底板を上方へ持ち上げることにより、左右側面に設けたスプリング式兆番２の動作で左右側面を内側へ自動的に折畳む事ができる。【選択図】図１
0003164831.tif 000002
【実用新案登録請求の範囲】
【請求項１】
底板を組立時の四方の補強に用い、かつ、この底板の後方取付部を基点として底板を上下することによって組立、折畳みが簡易にできることを特徴とした、折畳み式ごみ収容容器。
【考案の詳細な説明】
【技術分野】
【０００１】  本考案は、路上における生ごみの集積場所において、鳥類や犬、猫等の被害を防止し、かつ、不要時には簡易に折りたたみができ、収納が容易なごみ収容容器に関するものである。
【背景技術】
【０００２】  従来、生ごみの回収は指定のビニール袋に入れ、所定の場所で集積し、ごみ回収車が回収して回るという方法がとられている。集積場所においては、生ごみ類の袋の上からネット等で覆い、カラスや畜類からの被害を防止している。【０００３】  しかし、市街地では歩道上を集積場所として使用しているケースが多い。このような場所では、ごみが歩道を占有して通行の妨げになる場合もある。
【先行技術文献】
特願平１１−３４３７３０
【考案の概要】
【考案が解決しようとする課題】
【０００４】  本考案は、ごみ回収日以外は保管場所にて保管し、ごみ回収日にごみ集積場所に出して簡易に組立て、ごみ収容容器として使用できる折畳みごみ収容容器を提供する。
【課題を解決するための手段】
【０００５】  本考案では、容器全体を軽量化するため、アルミ等のフレームを用いて、本体の軽量化を図り、女性でも一人で簡単に組立、折畳み、移動ができるようにする。【０００６】  本考案のごみ収容容器の左右側面を内側に折畳みができる構造とし、天板を持ち上げた状態で前面パネル部を引くと、側面が開きながら手前へ出てくる。【０００７】  折畳み時には上記の逆の動作を行うことで簡易に折畳みができる。
本考案のごみ収容容器の四隅の脚部下端にはキャスターをそれぞれ設け、組立、折畳み、移動がスムーズにできるようになっている。
【考案の効果】
【０００８】  本考案によって、ごみ回収の日も生ごみが歩道や車道上に散乱することなく、常に美観を保つことができるようになった。ごみ回収が終了した後は、簡単に折りたたんで保管場所まで移動ができるので、歩道や車道の障害となることがない。
【図面の簡単な説明】
【０００９】
【図１】本考案の平面図である。
【図２】本考案の側面図である。
【図３】本考案の正面図である。
【図４】本考案の底板図面である。
【考案を実施するための形態】
【００１０】  側面パネルの縦フレームと縦フレームとの接続を兆番で構成し、それぞれのパネルが図１の矢印のように内側方面に曲折するように兆番を取り付ける。かつ各パネルの脚部下端にはキャスターを設けて各折り曲げ部分が滑らかに回転するようにする。
【実施例】
【００１１】  以下に図面にしたがって実施例を説明する。
図１は本考案の正面図である。天板の取手６を持って上方へ上げ、前面パネル５を手前側へ引くと側面パネル３が左右横方向へ開き、と同時に底板７が手前側に倒れてくる。倒れた底板７は底面の定位置に収まりこれにより左右パネルが補強固定される。【００１２】  この状態で天板の開閉により生ごみを収容する。生ごみが回収されて、収容容器を折畳み収納するときは、天板を上方へ持ち上げながら、底板７を持ち上げて前面パネル３を膝で押すとそのまま収納される。
【符号の説明】
【００１８】１  天板
２  兆番
３  側面パネル
４  キャスター
５  前面パネル
６  天板取手
７  底板
【図１】
0003164831.tif 000003
【図２】
0003164831.tif 000004
【図３】
0003164831.tif 000005
【図４】
0003164831.tif 000006
【手続補正書】
【提出日】平成22年3月17日(2010.3.17)
【手続補正１】
【補正対象書類名】実用新案登録請求の範囲
【補正対象項目名】全文
【補正方法】変更
【補正の内容】
【実用新案登録請求の範囲】
【請求項１】
底板を組立時の四方の補強に用い、かつ、底板の後方兆番取付部を基点として底板を上方へ持ち上げることにより、左右側面に設けたスプリング式兆番の動作で左右側面を内側へ自動的に折畳む事ができる事を特徴とした、折畳み式ごみ収容容器。
(57)【要約】      （修正有）【課題】鞄の側面に面ファスナーのついた帯状の紐を取り付け、傘を垂直に縛って固定し携帯できる機能を持つ鞄を提供する。【解決手段】鞄１の側面に帯状の紐２を取付け、片方には外側に、もう一方には内側に、面ファスナー３を上下２組取付ける。その帯状の紐２で傘４をその先端を人に当てることがない様に、垂直に鞄１に縛り付ける。【選択図】図１
0003164839.tif 000002
【実用新案登録請求の範囲】
【請求項１】
帯状の紐で傘を縛って垂直に携帯できる機能を持つ鞄。
【考案の詳細な説明】
【技術分野】
【０００１】  帯状の紐で傘を縛って垂直に携帯できる機能を持つ鞄に関するものである。
【背景技術】
【０００２】  鞄にホルダをつけて傘を携帯させる方法はあったが、傘を鞄本体に垂直に縛って携帯する機能がなかった。
【特許文献１】特許出願平１０−１８６０４５
【考案の概要】
【考案が解決しようとする課題】
【０００３】傘を差さない時に鞄と傘を持ち歩くと、両手がふさがり、他の荷物を持つと非常に持ち難い。
又こけたりすると手を両手がふさがっている為、手がつけず体ごと倒れて怪我をする可能性がある。
傘を鞄の上に乗せて歩くと、傘が水平になり」傘の先を人に当てたりする。
【考案が解決するための手段】
【０００４】鞄▲１▼の側面に帯状の紐▲２▼を上下２組取付け、片方には」外側に、もう一方には内側に、面ファスナー▲３▼を取付ける。
その帯状の紐▲２▼で傘▲４▼を垂直に鞄▲１▼に縛り付ける。
【考案の効果】
【０００５】  傘を差さない時に傘と鞄を持っていると両手がふさがり、他に荷物とか階段で手摺が持ちづらい、と言う現象が起こる。
そこでこの傘携帯機能付鞄を持つと、鞄に傘を縛り付けるので、片手を空けることが出来、面ファスナーなので簡単に着脱が出来る。その上垂直に傘が取り付くので、傘の先端を人に当てることがなく安全である。又折り畳み用傘は、濡れている時は鞄等に入れられなく、柄の部分小さく持ちづらいので、効果は大きい。
【考案を実施するための形態】
【０００６】以下、本発明の実施の形態について説明する。
鞄▲１▼の側面に、面ファスナー▲３▼を取り付けた帯状の紐▲２▼を左右２箇所一対を上下２組取付ける。
【図面の簡単な説明】
【０００７】
【図１】この発明に係る傘携帯機能付鞄の斜視図。
【符号の説明】
【０００８】１    鞄
２    帯状の紐
３    面ファスナー
４    傘
【図１】
0003164839.tif 000003
【手続補正書】
【提出日】平成22年9月28日(2010.9.28)
【手続補正１】
【補正対象書類名】実用新案登録請求の範囲
【補正対象項目名】請求項１
【補正方法】変更
【補正の内容】
【請求項１】
鞄の側面に面ファスナーのついた帯状の紐を取り付け、傘を垂直に縛って固定し携帯できる機能を持つ鞄
(57)【要約】      （修正有）【課題】傘の先端をすべりにくくし、傘の転倒を防ぐ器具を提供する。【解決手段】傘の先端に挿着するキャップ状であり、樹脂などからなる先端に弾力性をもたせる。【選択図】図１
0003164833.tif 000002
【実用新案登録請求の範囲】
【請求項１】
傘の先端と床面との摩擦力を大きくするため、傘の石づき部に取り付ける樹脂、ゴム、その他素材製の器具。
【請求項２】
請求項１記載の要件を具備した傘。
【考案の詳細な説明】
【考案の詳細な説明】
【技術分野】
【０００１】本考案は電車内などにおいて傘を持って座席に座った場合、傘を自分の手で支えなくても倒れない様に傘の先端の摩擦力を大きくするため取り付ける器具に関する。
【背景技術】
【０００２】雨天時など傘を持って電車等の座席に座った場合、傘が転倒しないように支える方法として片手又は両手で傘を持つ、自身の両脚の間に挟む、シートや手すりに立てかけるなどの方法がとられている。
【考案が解決しようとする課題】
【０００３】電車内等で傘を持って着席した場合、傘が転倒しない様、手で支えたり脚に挟んだりしているが、この場合片手もしくは両手の自由が奪われたり、脚に余分な力を入れる必要があったりする。このため新聞等も読みづらく不便であった。また傘の先端は鋭利で、かつ電車等の床は滑りやすい材質のため手や脚で支えていても、あるいはシートに立てかけていても電車の振動などで傘が転倒するなどしていた。
【０００４】そこで本考案は、傘が転倒しないように傘の先端に挿着する器具及びそれを具備した傘を提供することにある。
【問題を解決するための手段】
【０００５】本考案は傘の先端と電車等の床との摩擦力が小さいため滑りやすく、倒れやすいことに着眼し、傘の先端に、ゴム、樹脂、その他素材製のキャップ状の器具を挿着し摩擦力を大きくすることにより傘の先端を滑りにくくして転倒を防ぐようにした。
【考案を実施するための形態】
【０００６】次に本考案の実施の形態について添付図面に基づいて詳細に説明する。
図１は本考案の器具及び傘の石づき部に挿着した状態を示す。
器具はキャップ状で、流通している雨傘の石づき部の形状に合わせた数種類のものとなる。キャップの内面には接着剤を塗布するなど、石づき部に挿着後の抜脱防止のための措置を施す。
器具の先端、床と接触する部分は床面が濡れていても滑らないよう表面に凹凸をつけた柔らかいゴム系樹脂、例えばサーモプラスチックラバーなどで構成されこれにより床面との摩擦力を大きくするものである。
図２は本考案の要件を具備の上製造された傘の石づき部を示したものである。
図３は電車等のシートに立てかけた状態を示したものであり、先端の柔軟な素材により先端の角度が変わっても床面と密着させることが出来る。
【考案の効果】
【０００７】傘の先端に本考案の器具を挿着することにより床との摩擦力が大きくなり傘の先端が電車等の床に密着するため傘の握柄部に近い部分をシートにもたれさせる、あるいは両脚の間に立てかけるだけで倒れることなく、両手が自由になり新聞、雑誌などが読みやすくなる。また手すりなどに引っ掛けることも少なくなり、手元に置ける為、傘を車内に忘れることも減少すると考えられる。
【図面の簡単な説明】
【図１】  器具及び傘に挿着した状態を示した説明図である。
【図２】  本考案の要件を採り入れ製造された傘の石づき部を示した説明図である。
【図３】  使用例を示した説明図である。
【符号の説明】１  器具
２  ゴム系の樹脂
３  傘の石づき部
４  要件を具備した傘の石づき部
５  電車等のシート
６  電車等の床
【図１】
0003164833.tif 000003
【図２】
0003164833.tif 000004
【図３】
0003164833.tif 000005
【手続補正書】
【提出日】平成22年7月2日(2010.7.2)
【手続補正２】
【補正対象書類名】実用新案登録請求の範囲
【補正対象項目名】全文
【補正方法】変更
【補正の内容】
【実用新案登録請求の範囲】
【請求項１】
傘の先端と床面との摩擦力を大きくするため、傘の石づき部に取り付ける樹脂、合成樹脂、ゴム、合成ゴム製の器具。
【請求項２】
請求項１記載の器具を具備した傘。
【手続補正書】
【提出日】平成22年9月30日(2010.9.30)
【手続補正１】
【補正対象書類名】実用新案登録請求の範囲
【補正対象項目名】全文
【補正方法】変更
【補正の内容】
【実用新案登録請求の範囲】
【請求項１】
立て掛けた傘の先端と立て掛けた床面との摩擦力を大きくし、滑りにくくするため、傘の先端、石づき部に挿着する、樹脂、合成樹脂、ゴム、合成ゴム、木材製の先端に弾力性を持たせたキャップ状の器具。
【請求項２】
請求項１記載の器具を具備した傘。